(57)【要約】【課題】コンロ用の加熱チャンバに関するいくつかの制約に対する代替的な対策を提供する。【解決手段】携帯可能なコンロ用の加熱チャンバが、ボトルのような容器を加熱チャンバの第１表面に水漏れしないように取り外し可能に固定することのできる固定機構と、容器から小出しにされる液体、典型的には水で満たすことのできる１つまたは２つ以上のコンパートメントと、圧力補償弁と、加熱チャンバから液体を注ぐように構成された排出口と、を備える。【選択図】図２
2020165636.tif 000002
【特許請求の範囲】
【請求項１】
携帯可能なコンロ（１０）用の加熱チャンバ（２）であって、
ボトルのような容器（１）を前記加熱チャンバ（２）の第１表面に水漏れしないように取り外し可能に固定する固定機構と、
前記容器（１）から小出しにされ、典型的には水で満たすことのできる１つまたは２つ以上のコンパートメント（８、２７、２９）と、
圧力補償弁（３１）と、
排出口（１３）、特に、前記加熱チャンバ（２）から液体を注ぐように構成された圧力弁と、を備える、
ことを特徴とする加熱チャンバ（２）。
【請求項２】
前記容器（１）が前記加熱チャンバ（２）に連結され、液体が前記容器から前記加熱チャンバ内へ小出しにされたときに前記容器へ空気を取り込むための逆止弁（２１）を有する、
請求項１に記載の加熱チャンバ（２）。
【請求項３】
前記加熱チャンバ（２）用の支持体（９）上に配置可能な表面部（２Ｌ、２０Ｌ）を更に有し、前記支持体（９）が、前記携帯可能なコンロ（１０）のバーナー部に備えられている、
請求項１または２に記載の加熱チャンバ（２）。
【請求項４】
前記容器（１）から小出しにされた液体でそれぞれ満たすことができる複数のコンパートメント（８、２７、２９）を備え、前記コンパートメント（８、２７、２９）が、貫通穴または管路のような連結手段（２５）によって連結され、前記コンパートメント（８、２７、２９）間で液体を移動させるように構成され、
特に、前記コンパートメント（８、２７、２９）が、一方から他方へ鉛直方向に積み重なっている、
請求項１ないし３の何れか１項に記載の加熱チャンバ（２）。
【請求項５】
前記コンパートメント（８、２７、２９）の１つまたは２つ以上または全てが傾斜底部（２８）を有し、前記底部（２８）が前記加熱チャンバ（２）の前記表面部（２Ｌ、２０Ｌ）に対して傾斜し、
前記連結手段（２５）は、前記コンパートメント（８、２７、２９）の最深位置のところにそれぞれ設けられている、
請求項４に記載の加熱チャンバ（２）。
【請求項６】
前記排出口（２１）が、典型的には加熱後に、液体の少なくとも一部を前記加熱チャンバ（２）から注ぐ制御ができる制御弁または蛇口を備え、前記排出口（２１）は、可撓性パイプまたは管に連結可能である、
請求項１ないし５の何れか１項に記載の加熱チャンバ（２）。
【請求項７】
前記固定機構が、インターフェース（６）のような前記容器（１）の対応する固定手段を受けるように構成された取り外し可能なフランジまたはねじ込みねじ（２３）を備える、
請求項１ないし６の何れか１項に記載の加熱チャンバ（２）。
【請求項８】
携帯可能なコンロ（１０）用のコンテナモジュール（１）であって、
前記コンテナモジュール（１）は、ガラス、セラミック、ステンレス鋼、二重プラスチック、またはアルミニウム、チタニウム、バイオ基プラスチックなどの耐熱性材料で作られたボトルであり、
前記容器（１）、特に前記加熱チャンバ（２）に対して逆さに取り付けることができる前記容器（１）は、前記容器（１）を前記携帯可能なコンロ（１０）用の加熱チャンバ（２）の第１表面（２Ｕ、２０Ｕ）に水漏れが生じないように取り外し可能にドッキングするためのインターフェース（６）を備える、
ことを特徴とするコンテナモジュール（１）。
【請求項９】
前記インターフェース（６）、特に前記容器（１）の蓋に備えられているインターフェース（６）は、前記容器（１）を前記加熱チャンバ（２）にねじ止めするためのねじを備える、
請求項８に記載のコンテナモジュール（１）。
【請求項１０】
前記インターフェース（６）が、前記携帯可能なコンロ（１０）用の加熱チャンバ（２）の第１表面（２Ｕ、２０Ｕ）に前記容器（１）を水漏れが生じないで挿入できるように挿入可能である、
請求項８または９に記載のコンテナモジュール（１）。
【請求項１１】
請求項１ないし７何れか１項に記載の加熱チャンバ（２）を備える携帯可能なコンロ（１０）、特に、エクスペディションコンロ、トレッキングコンロ、またはキャンピングコンロである、
ことを特徴とする携帯可能なコンロ（１０）。
【請求項１２】
前記加熱チャンバ（２）が請求項１ないし７の何れか１項に記載の加熱チャンバ（２）である、携帯可能なコンロ（１０）用の加熱チャンバ（２）内の液体を加熱するための携帯可能なコンロ（１０）用のバーナーモジュール（３）であって、
前記バーナーモジュール（３）は、加熱チャンバ（２）を支持するように構成された支持体を備え、特に、前記バーナーモジュールが、ＬＰＧ、炭化水素ガス、ガソリン／ペトロール、軽油、灯油／パラフィンのような種々の種類の燃料を燃焼するように構成され、更に、燃料カートリッジと連結可能なカートリッジコネクタ、または液体あるいは気体あるいは固形燃料で充填可能な燃料タンクを備える、
ことを特徴とするバーナーモジュール（３）。
【請求項１３】
更に、スイッチ即ちボタンのような切替え手段（１７）と点火ユニットとを備え、共に、例えばユーザによって前記切替え手段（１７）が作動されると、燃料の流入を開始するとほぼ同時に前記燃料が点火されるように構成され、前記切替え手段（１７）が解除あるいは再作動されると前記燃料の流入を停止させるように構成されている、
請求項１２に記載のバーナーモジュール（３）。
【請求項１４】
携帯可能なアウトドアコンロのキット（１０Ｋ）であって、前記キット（１０Ｋ）が、請求項１１に記載の携帯可能なコンロ（１０）と、請求項８または９に記載のコンテナモジュール（１）と、請求項１２または１３に記載のバーナーモジュール（３）と、を備える、
ことを特徴とするキット（１０Ｋ）。
【発明の詳細な説明】
【技術分野】
【０００１】
本発明は、キャンプファイアコンロ、エクスペディションコンロ、トレッキングコンロのようなアウトドアコンロの分野、特に、このようなコンロ用の加熱チャンバに関する。
【背景技術】
【０００２】
古典的なアウトドアコンロ及び加熱用調理器は、通常、ポット支持体、例えばグリッドと、火力を調節する制御ノブを有するいくつかの燃料供給手段と、を提供する。しかしながら、これら古典的なアウトドアコンロは、別体で、ヒータ上に配置され、水で満たされ、次いで加熱される外付けのポットなどが必要である。この加熱された水は、コーヒー、紅茶、ハーブティーのような温かい飲み物、または、例えばスープなどのフリーズドライフードを準備するために使用されてもよい。
【０００３】
しかしながら、この古典的な仕組みは、コンロが常に個別のポットやケトルなどを必要とするという問題を有する。加えて、ポットやケトルの配置やサイズによっては、お湯を準備するために幾らか時間がかかる場合がある。更に、ガスのような燃料の流れは、容易に制御可能であるべきである。
【発明の概要】
【課題を解決するための手段】
【０００４】
上記を鑑み、本発明は、上述した制約に対する代替的な対策を提供する。
【０００５】
本発明は、携帯可能なコンロ用の加熱チャンバであって、ボトルのような容器を加熱チャンバの第１表面に水漏れしないように取り外し可能に固定する固定機構と、容器から小出しにされ、典型的には水で満たすことのできる１つまたは２つ以上のコンパートメントと、圧力補償弁と、加熱チャンバから液体を注ぐように構成された排出口と、を備える加熱チャンバを提供する。
【０００６】
ここで、１つまたは２つ以上のコンパートメントが、加熱チャンバ内部のコンパートメントである。例えば、加熱チャンバの内部空間が、分離層によって分割されるのがよい。例えば、ｎが正の整数であるｎ個のコンパートメントがある場合、ｎ−１個の分離層が存在する。固定機構は、容器を加熱チャンバの第１表面、例えば加熱チャンバの頂部に固定する。固定方法は、ロック式、ねじ込み式または連結式として理解されるのがよい。圧力補償弁は、周囲環境との圧力均衡を確保すべきである。排出口は、ユーザが温かい食べ物や飲み物を準備するために液体を使うことができるように、例えば加熱後に、加熱チャンバから液体、例えば水を注ぐのに役立つ。
【０００７】
上述した加熱チャンバは、容器が加熱チャンバに連結され、液体が容器から加熱チャンバへ小出しにされたときに容器内へ空気を取り込むための逆止弁を更に備えている。
【０００８】
逆止弁は、水のような液体が容器内から容器内へ注がれている間、空気が、ボトルのような容器内へ流入できるように設けられるべきである。容器が必ずしも蓋を備えなくてもよいことは理解されるべきである。その場合、携帯可能なコンロのバーナー部を満杯のボトルの頂部に逆さに取り付けることは、十分にあり得る。取り付けられると、ボトルはバーナーユニットと一緒に再び回転させられる。
【０００９】
上述した加熱チャンバは、加熱チャンバ用の支持体に設置可能な表面部を更に備えるのがよく、前記支持体は、携帯可能なコンロのバーナー部に備えられる。例えば、ユーザは、加熱チャンバを携帯可能なコンロのバーナーユニット上に配置してもよい。バーナーユニットは、加熱チャンバ用の支持体を備えてもよく、前記支持体は、典型的に加熱チャンバの寸法に適合する。加熱チャンバは、したがって、携帯可能なコンロのバーナーユニットの支持体上に配置することができる表面、例えば底部を備えるのがよい。そして、加熱チャンバは、少なくとも加熱プロセス中、例えば水の沸騰中は、前記支持体に保持されるのがよい。
【００１０】
上述の加熱チャンバは、更に、容器から小出しにされた液体でそれぞれ満たすことのできる複数のコンパートメント、を備えるのがよく、前記コンパートメントが、貫通穴や管路のような連結手段によって連結され、コンパートメントの間で液体が移動するように構成され、特に、コンパートメントが一方から他方に対して鉛直方向に積み重なっているのがよい。
【００１１】
特に、２つ以上のコンパートメントが、加熱チャンバ内に存在するのがよい。容器からの液体、例えば水が、コンパートメントのいくつかを満たすのがよい。コンパートメントは、寸法及び／または形状及び／または容量において同じでもよい。特に、コンパートメントは、積み重なってもよく、特に、鉛直方向に積み重なっているのがよい。ここで、鉛直とは、携帯可能なコンロ、加熱チャンバ、容器の３つ全てがユーザによって使用できるように準備されたとき、携帯可能なコンロ、加熱チャンバ、容器の支持体を通る鉛直軸線として使用されることは理解されるべきである。鉛直方向に積み重ねられたコンパートメントは、液体及び／または蒸気がコンパートメント間で入れ替えられるように貫通穴または管路によって連結されるのがよい。このような場合、圧力補償弁は、したがって、加熱チャンバ内の積み重ねられたコンパートメントの全体システムのために圧力を補償するのに役立つのがよい。
【００１２】
上述の加熱チャンバでは、コンパートメントの１つまたは２つ以上または全てが、加熱チャンバの前記表面部に対して傾斜した底部を備え、連結手段は、コンパートメントの最深位置のところにそれぞれ設けられている。
【００１３】
それぞれのコンポーネントの傾斜した底部は、コンパートメント間の液体の入れ替えを助け、特に、重力及び／または蒸気圧の影響下で、鉛直軸線に対して、スタックの上方コンパートメントからスッタクの下方コンパートメントに向かう液体の流出を促進している。特に、所定のコンパートメントの連結手段は、コンパートメントの最深位置のところにそれぞれ位置決めされている。
【００１４】
上述の加熱チャンバでは、排出口が、典型的には加熱後に、液体の少なくとも一部を加熱チャンバから注ぐ制御ができる制御弁または蛇口を備えるのがよく、排出口は、可撓性パイプまたは管に連結可能である。
【００１５】
制御弁または蛇口は、加熱チャンバからマグ、カップ、ボウルなどに液体、特に加熱された液体の少なくとも一部を注ぐ、即ち満たすのに役立つのがよい。制御弁または蛇口は、加熱チャンバから加熱された水を満たす制御ができるように構成されているのがよい。より容易な使用として、可撓性パイプまたは管が、排出口に連結されていてもよい。
【００１６】
上述の加熱チャンバでは、固定機構が、インターフェースのような容器の対応する固定手段を受けるように構成された取り外し可能なフランジまたはねじ込みねじを備えてもよい。
【００１７】
本発明は、更に携帯可能なコンロ用のコンテナモジュールを備え、容器は、ガラス、セラミック、ステンレス鋼、二重プラスチック、またはアルミニウム、チタニウム、バイオ基プラスチックなどの耐熱性材料で作られたボトルであり、容器、特に加熱チャンバに対して逆さに取り付けることができる容器は、容器を携帯可能なコンロ用の加熱チャンバの第１表面に水漏れが生じないように取り外し可能にドッキングするためのインターフェースを備える。
【００１８】
上述のコンテナモジュールでは、インターフェース、特に容器の蓋に備えられているインターフェースは、容器を加熱チャンバにねじ止めするためのねじを備える。
【００１９】
コンテナモジュールは、冷水で満たされたボトルでもよい。コンテナモジュール、例えば水で満たされたボトルの連結のために、容器は、その開口部のところにインターフェースを備えるのがよい。前記インターフェースは、容器の蓋の一部でもよく、別体として設けられてもよい。
【００２０】
上述のコンテナモジュールでは、インターフェースは、携帯可能なコンロ用の加熱チャンバの第１表面に容器を水漏れが生じないで挿入できるように、挿入可能であるのがよい。
【００２１】
インターフェースは、コンテナモジュールが加熱チャンバ上にセットするとき、加熱チャンバの逆止弁を介して挿入可能になるのがよい。
【００２２】
本発明は、上述の加熱チャンバを備える携帯可能なコンロ、特に、エクスペディションコンロ、トレッキングコンロ、またはキャンピングコンロを更に提供する。
【００２３】
本発明は、更に、携帯可能なコンロ用の上述した加熱チャンバ内の液体を加熱するための携帯可能なコンロ用のバーナーモジュールであって、バーナーモジュールは、加熱チャンバを支持するように構成された支持体を備え、特に、ＬＰＧ、炭化水素ガス、ガソリン／ペトロール、軽油、灯油／パラフィンのような種々の種類の燃料を燃焼するように構成されているバーナーモジュールであって、更に、燃料カートリッジと連結可能なカートリッジコネクタ、または液体あるいは気体あるいは固形燃料で充填可能な燃料タンクを備えるのがよい。
【００２４】
上述のバーナーモジュールは、更に、スイッチまたはボタンのような切替え手段と点火ユニットとを備え、共に、例えばユーザによって切替え手段が作動されると、燃料の流入を開始するとほぼ同時に燃料が点火されるように構成され、切替え手段が解除あるいは再び作動されると燃料の流入を停止させるように構成されているのがよい。
【００２５】
本発明は、携帯可能なアウトドアコンロのキットを更に提供し、そのキットは、上述の携帯可能なコンロと、上述のコンテナモジュールと、上述のバーナーモジュールとを備えている。
【００２６】
したがって、キットは、加熱チャンバと、コンテナモジュールと、支持体及びバーナーモジュールを有する携帯可能なコンロとを有する携帯可能なアウトドアコンロの用の器具の完全なセットを提供する。
【図面の簡単な説明】
【００２７】
【図１】１Ａは、携帯可能なアウトドアコンロの３つの主要ユニットの概略図である。１Ｂは、組み立てられた１Ａの携帯可能なアウトドアコンロの概略図である。
【図２】携帯可能なアウトドアコンロ用の加熱チャンバの概略図である。
【図３Ａ】携帯可能なアウトドアコンロの概略図である。
【図３Ｂ】図３Ａの携帯可能なアウトドアコンロの別の図である。
【図４】加熱チャンバの部品の詳細図である。
【図５】図４に示された加熱チャンバの部品の別の詳細図である。
【発明を実施するための形態】
【００２８】
図１Ａは、携帯可能なアウトドアコンロのためのキット１０Ｋのユニットの概略図を示す。これらのユニットは、容器モジュール（１）と、加熱チャンバ（２）と、バーナーモジュール（３）である。図１Ｂは、図１Ａのキット１０Ｋの組立ブロックから組み立てられた、組み立てられた携帯可能なアウトドアコンロ１０の概略図を示す。アウトドアコンロのユニットは、図１Ａと同一であり、したがって同一の引用番号を有している。これらのユニットを、以下で更に説明する。
【００２９】
図２は、携帯可能なアウトドアコンロ１０用の加熱チャンバを示している。前記加熱チャンバ２は、図１Ａ及び図１Ｂで説明されたものと同一でもよい。図２に示す加熱チャンバ２は、バーナーモジュール３の支持体９上に配置された状態で示されている。図１Ａ及び図１Ｂに示されているように、加熱チャンバ２は、バーナーモジュール３の支持体９上に配置可能である。必要であれば、支持体９が、支持体９に加熱チャンバ２をロックあるいは締結することのできるロック機構または締結機構を有してもよいことは理解されるべきである。図２は、主に加熱チャンバ２の外形を図示する。前記外形は、液体の加熱のために水のような液体を収容するように構成された空間である。図２には示されていない加熱チャンバのあらゆる引き入れ手段を、図３Ａ、図３Ｂ、図４、図５に関連して説明する。しかしながら、図２は、加熱チャンバ２から温かいまたは冷たい液体を注ぐように構成された排出手段、例えば排出口１３を表している。典型的に、排出口１３は、温度及び圧力が十分に高まったときに開口する圧力弁そのものであるか、この圧力弁を備えている。図２には示されていないが、排出口１３が、典型的には加熱後に加熱チャンバ２から液体の少なくとも一部を注ぐ制御ができる制御弁または蛇口を備えてもよいことは理解されるべきである。加えて、圧力弁そのものである、または圧力弁を備える排出口１３は、可撓性のパイプまたは管に連結されてもよい。
【００３０】
図２は、加熱チャンバの表面２Ｕを更に示している。前記表面２Ｕは、加熱チャンバ２に連結される容器モジュールを受け入れるように形作られるのがよい。可能な連結部の詳細を、図３Ａ及び図３Ｂに関連して説明する。表面２Ｕは、ほぼ平坦でも、わずかに凹面形状を有してもよいが、同様に、他の形状でもよい。上方表面２Ｕのほぼ反対側には、下方表面２Ｌが示されている。図２に示された前記下方表面２Ｌは、バーナーユニット３に対面している。
【００３１】
図２は、バーナーモジュールまたはバーナーユニット３も示している。バーナーユニット３は、上述のように加熱チャンバ２を支持するように構成された支持体９を有している。例えば、加熱チャンバ２の底部は、携帯可能なコンロ１０のバーナー３の支持体９に直接配置されるのがよい。加熱チャンバ２は、少なくとも水を加熱または沸騰させるような加熱プロセスの間、前記支持体９に配置されていればよい。バーナーユニット３は、典型的に、流量即ち加熱プロセスに使用させる燃料の量を調整するための燃料調整手段即ち燃料調整弁を有している。バーナーモジュール３は、ガス、ガソリン／ペトロール、軽油、灯油／パラフィンのような種々の種類の燃料を燃焼させるように構成されたバーナーまたはバーナー部を有している。バーナーモジュール３は、燃料カートリッジに連結可能なカートリッジコネクタ、または液体あるいは気体あるいは固形燃料で充填可能な燃料タンク（両方とも図示せず）を更に備える。バーナーモジュールと共に使用される燃料は、よく理知られている。
【００３２】
更に、図２のバーナーモジュール３は、スイッチまたはボタン１７のような切替え手段を示す。点火ユニット（図示せず）と共に、前記スイッチユニットは、切替え手段が作動されると燃料の流れを開始させ、ほぼ同時に燃料に点火する構成となっている。前記作動は、切替え手段、即ちボタン即ちスイッチを押すユーザを含む。ボタン１７は、押しボタン即ちスイッチであるのがよい。このように、切替え手段が解除あるいは再作動される、またはプッシュボタン式の場合には、ブッシュボタンが再作動されると、燃料の流れを止めるように構成されているのがよい。
【００３３】
図３Ａは、図１Ａ及び図１Ｂで参照した携帯可能なアウトドアコンロ１０の３つのユニットを示すように図２に図示したユニットを容器モジュールと共に示している。図３Ａでは、図２に示す要素と同一のものを同一の参照番号で示し、特に加熱チャンバ２及びバーナーユニット３は、図２に示したものと同一である。図３Ａは、排出口１３即ち圧力弁に連結された管１５を示す。
【００３４】
図３Ａは、更に、携帯可能なアウトドアコンロ１０の加熱チャンバ２に対して連結された状態で示された容器モジュール１を開示している。容器モジュール１の連結部またはドッキング部は、加熱チャンバ２の上方表面２Ｕの少なくとも一部分に示され、即ち、前記上面２Ｕがバーナーモジュール３と反対方向を向き、バーナーモジュール３は、加熱チャンバ２の表面２Ｕとほぼ対向している表面２Ｌ上に示された支持体を備える。容器モジュール１は、ボトルなどでもよいし、ボトルのような形状を有してもよい。図３Ａは、更に、容器モジュール１を加熱チャンバ２に表面２Ｕの側上、即ち図３Ａでの加熱チャンバ２の上方表面上で連結させるように構成された容器モジュール１のカラーを指し示している。カラーは、容器を、前記上方表面、即ち、携帯可能なアウトドアコンロ１０の加熱チャンバ２の第１表面２Ｕに取り外し可能に水漏れが生じないようにドッキングすることのできるインターフェース６を備えるのがよい。図３Ａに更に示すように、容器モジュール１は、加熱チャンバ２に対して逆さにドッキングされている。これは、容器モジュール１を空にするのを助け、更に、インターフェース６の近傍、即ち、容器の開口部に設けられた、加熱チャンバ２に連結することのできるインターフェースを提供している。
【００３５】
図３Ｂは、更に図３Ａの加熱チャンバ２の詳細を示す。図３Ｂでは、加熱チャンバ２は、傾斜底部７を有するコンパートメント８を有している。コンパートメント８の前記傾斜底部７は、加熱チャンバ（２）の前記下方表面２Ｌに対して傾斜している。したがって、図１Ｂ、図２、図３Ａに既に図示したように、下方表面２Ｌは、バーナーユニット３の支持体９に適合するようにほぼ平行であるのがよい。例えば、これは、ほぼ平坦な表面２Ｌであってもよい。コンパートメント８の底部７は、ある角度で傾斜しているのがよい。前記角度は、８度から１２度の間であればよく、典型的には約１０度である。特に、加熱チャンバ２は、コンパートメント８とほぼ同様の複数のコンパートメントを備えてもよい。典型的には、これらコンパートメント８は、積み重ねられるのがよい。コンパートメント８のいくつかまたは全てが、傾斜底部７を有するのがよい。これは、重力及び／または蒸気圧の影響下で、鉛直軸線に対して、スタックの上方コンパートメントからスタックの下方コンパートメントに向かって液体が流れるのを促進する。
【００３６】
図４は、図１Ａないし３Ｂの加熱チャンバ２に類似した加熱チャンバ２０を示す。前記加熱チャンバ２０は、互いに積み重ねられた上方コンパートメント２７及び下方コンパートメント２９を有する。ここで、「上方」という単語は、バーナーユニット（図示せず）から更に離れているが、容器モジュール（図示せず）により近接した上方コンパートメントを意味し、「下方」という単語は、バーナーユニット（図示せず）により近接しているが、容器モジュール（図示せず）から更に離れている下方コンパートメントを意味する。上方コンパートメント２７は、更に傾斜底部２８を有して示されている。前述の傾斜底部２８は、重力及び／または蒸気圧の影響下で、加熱チャンバ２０の鉛直軸線に対して、スタックの上方コンパートメント２７からスタックの下方コンパートメント２９に向かって液体が流れるのを促進する。
【００３７】
図４は、更に上方コンパートメント２７と下方コンパートメント２９との流体連結のための連結手段２５を示す。連結手段２５は、貫通穴または管路であるのがよい。図４に示す連結手段は、特に、コンパートメント２７及び２９が、一方から他方へ鉛直方向に積み重ねられているときに、コンパートメント２７及び２９の間で液体を移動させる、または少なくとも移動を可能にするようにそれぞれ構成されている。典型的に、連結手段は、それぞれのコンパートメントの最深（最下）位置のところに設けられるのがよく、それぞれのコンパートメントの最下ポジションは、加熱チャンバ２０の下方表面２０Ｌに最も近接しているコンパートメント内のポジションとして理解されるべきである。互いに鉛直方向に積み重ねられた３つ以上のコンパートメント８が存在する場合、もう１つのコンパートメント直上に積み重ねられた特定のコンパートメントの前記最下ポジションは、特定のコンパートメント直下の他のコンパートメントの対応するポジションと連結されることは理解されるべきである。前記対応するポジションは、前記他のコンパートメントの最高点であるのがよい。
【００３８】
図４は、更に、図２ないし図３Ｂに示す排出口とほぼ同一で、ねじ山付である場合の圧力弁１３を示し、ここでは、雄ねじ１４として示す。前記ねじ１４は、圧力弁１３への管または管路の適切な連結を提供する。
【００３９】
図４では、加熱チャンバ２０は、上方表面２０Ｕを示している。図４では、加熱チャンバ２０は、中空筒の対称形状を有している。したがって、表面２０Ｕは、前記中空筒の対称軸線に対して対称に配置されている。中空筒は、ねじ山、即ち雌ねじを有する内側円環部を有し、雌ねじ２３は、容器（図示せず）を固定することのできるように対応する容器モジュールを加熱チャンバにねじ込ませるように構成されている。更に、図４は、対称軸線、即ち加熱チャンバ２０の鉛直軸線の周りに、逆止弁２１のような逆止手段を示す。逆止弁２１は、水のような液体が、容器２９から加熱チャンバ２０内、特に下方コンパートメント２９内に小出しにされたときに容器内に空気を取り込むためのものである。同様に、蓋のない容器が使用される可能性があることは留意されなければならない。例えば、加熱チャンバ２０を備えるバーナー部は、満杯のボトルの頂部に逆さに置かれることもある。前記満杯のボトルは、そして加熱チャンバのねじ２３にねじ込まれるのがよい。締結されると、ボトルは直ちに加熱チャンバ２０に連結され、加熱チャンバ２０と共に、再び反対側に回転させられるのがよい。
【００４０】
図５は、図４に関連して説明されたような加熱チャンバ２０の更なる図を示す。図５は、加熱チャンバ２０の鉛直高さＨに直立する逆止弁２１を示す。更に、圧力弁１３及びそのねじ１４も再び示されている。図５は、内部空間、即ち加熱チャンバ２０のコンパートメントの圧力補償を提供するように構成された圧力補償弁またはガス抜き弁３１を更に示す。前記コンパートメントは、図４に示すコンパートメント２７、２９に対応していてもよい。圧力補償弁３１は、図６に示すように、弁と、加熱チャンバ２０の対称軸線に対して直交して配置されている管路３３とを備える。前記管路３３は、少なくとも内側コンパートメント２７に届くような長さを有する。用途に応じて、より多くの圧力補償弁が提供されてもよい。図６では、逆止弁２１は示されていない。
【符号の説明】
【００４１】
１      ：容器モジュール
２      ：加熱チャンバ
２Ｌ    ：下方表面
２Ｕ    ：上方表面
３      ：バーナーモジュール
３      ：バーナーユニット
６      ：インターフェース
７      ：底部
８      ：コンパートメント
９      ：支持体
１０    ：アウトドアコンロ
１０Ｋ  ：キット
１３    ：圧力弁
１３    ：排出口
１４    ：ねじ
１５    ：管
１７    ：ボタン
２０    ：加熱チャンバ
２０Ｌ  ：下方表面
２０Ｕ  ：上方表面
２１    ：逆止弁
２３    ：ねじ
２５    ：連結手段
２７    ：コンパートメント
２８    ：傾斜底部
２９    ：コンパートメント
２９    ：容器
３１    ：ガス抜き弁
３１    ：圧力補償弁
３３    ：管路
【図１】
2020165636.tif 000003
【図２】
2020165636.tif 000004
【図３Ａ】
2020165636.tif 000005
【図３Ｂ】
2020165636.tif 000006
【図４】
2020165636.tif 000007
【図５】
2020165636.tif 000008
【図６】
2020165636.tif 000009
【手続補正書】
【提出日】令和2年8月26日(2020.8.26)
【手続補正１】
【補正対象書類名】明細書
【補正対象項目名】００２７
【補正方法】変更
【補正の内容】
【００２７】
【図１】１Ａは、携帯可能なアウトドアコンロの３つの主要ユニットの概略図である。１Ｂは、組み立てられた１Ａの携帯可能なアウトドアコンロの概略図である。
【図２】携帯可能なアウトドアコンロ用の加熱チャンバの概略図である。
【図３Ａ】携帯可能なアウトドアコンロの概略図である。
【図３Ｂ】図３Ａの携帯可能なアウトドアコンロの別の図である。
【図４】加熱チャンバの部品の詳細図である。
【図５】図４に示された加熱チャンバの部品の別の詳細図である。
【図６】図５の加熱チャンバの部品の別の詳細図である。
【外国語明細書】
2020165636000001.pdf